(57)【要約】  光受信機は、受信信号に基づいて、Ｍ（Ｍは自然数）次元毎に対数尤度比を得る第１演算部と、前記Ｍ次元毎の対数尤度比に基づいて、Ｎ（Ｎは自然数）次元シンボルの対数尤度比を得る第２演算部とを備える。
2017221926.tif 000002
【特許請求の範囲】
【請求項１】
受信信号に基づいて、Ｍ（Ｍは自然数）次元毎に対数尤度比を得る第１演算部と、
前記Ｍ次元毎の対数尤度比に基づいて、Ｎ（Ｎは自然数）次元シンボルの対数尤度比を得る第２演算部と、
を備える光受信機。
【請求項２】
前記Ｎ次元シンボルの対数尤度比に基づいて、軟判定誤り訂正を行う軟判定誤り訂正符号デコード回路と、
前記軟判定誤り訂正符号デコード回路からの出力を前記第２演算部にフィードバックするフィードバック部と、
をさらに備え、
前記第２演算部は、フィードバックされた出力結果に基づいて更新された前記Ｍ次元毎の対数尤度比に基づいて、Ｎ次元シンボルの対数尤度比を得る、請求項１に記載の光受信機。
【請求項３】
請求項１又は２に記載の光受信機と、
光送信機と
を備える光伝送装置であって、
前記光送信機は、
入力ビット列に対して、軟判定誤り訂正に使用する冗長ビットを付加する軟判定誤り訂正符号エンコード回路と、
冗長ビットが付加された入力ビット列をＮ（Ｎは自然数）次元空間の信号点配置に対応付けを行うＮ次元エンコーダ回路と、
前記Ｎ次元エンコーダ回路からの出力をもとにＮ次元シンボルに対応した変調信号を生成するＮ次元シンボルマッピング回路と、
前記変調信号を用いて光を変調して出力する光変調回路と、
を備える光伝送装置。
【請求項４】
受信信号に基づいて、Ｍ（Ｍは自然数）次元毎に対数尤度比を得て、
前記Ｍ次元毎の対数尤度比に基づいて、Ｎ（Ｎは自然数）次元シンボルの対数尤度比を得る、
ことを含む、光受信機のための方法。
【発明の詳細な説明】
【技術分野】
【０００１】
本発明は、光送信機、光受信機及び光伝送装置に関する。
本願は、２０１６年６月２１日に日本国に出願された特願２０１６−１２２８６３号に基づいて優先権を主張し、その内容をここに援用する。
【背景技術】
【０００２】
光通信システムの基幹網において、近年の通信トラヒックの拡大によりＤＰ−ＱＰＳＫ（Dual Polarization-Quadrature Phase Shift Keying）方式（例えば、非特許文献１参照）に変わり、次世代の４００Ｇｂｐｓ級伝送では、ＤＰ−１６ＱＡＭ（Quadrature Amplitude Modulation）方式（例えば、非特許文献２参照）の採用が検討されている。ＤＰ−ＱＰＳＫ方式は、１００Ｇｂｐｓ級伝送で標準的に採用されている変調方式である。ＤＰ−１６ＱＡＭ方式は、ＤＰ−ＱＰＳＫ方式より周波数利用効率の高い変調方式である。【０００３】
ＤＰ−１６ＱＡＭでは、Ｘ偏波とＹ偏波に対してそれぞれの偏波が独立に１６ＱＡＭで変調されている。変調された信号は、受信側では、コヒーレント受信機に入力後、ＡＤＣ（Analog to Digital Converter）によりデジタル化された後、デジタル信号処理により、偏波分離が行われ、独立した信号としてシンボル判定が行われる。【０００４】
更なる伝送容量を増加させる方式として、１Ｔｂｐｓ級伝送ではＤＰ−１６ＱＡＭよりも周波数利用効率の高いＤＰ−６４ＱＡＭ方式（例えば、非特許文献２参照）等の変調信号の更なる多値化が検討されている。しかしながら変調信号の多値化によりシンボル間の最小ユークリッド距離が縮小され、雑音に対する耐性が低下し、伝送距離に制限がかかってしまう。【０００５】
近年、周波数利用効率向上に伴う最小ユークリッド距離の縮小に対し、これまで独立の次元として扱われていた偏波や時間、波長方向に信号点配置の設計次元を広げ、周波数利用効率と最小ユークリッド距離の関係をＮ次元空間中の球充填問題の概要に帰着させることで、最小ユークリッド距離を拡大するＮ次元空間における信号点配置による変調方式が提案されている（例えば、非特許文献３参照）。
【先行技術文献】
【非特許文献】
【０００６】
【非特許文献１】OIF, “100G Ultra Long Haul DWDM Framework Document”.
【非特許文献２】T. J. Xia, S. Gringeri, and M. Tomizawa, “High-Capacity Optical Transport Networks,”IEEE Communications Magazine, vol. 50, no. 11, pp. 170-178, Nov. 2012.
【非特許文献３】Toshiaki Koike-Akino, David S. Millar, Keisuke Kojima, and Kieran Parsons, “Eight-Dimensional Modulation for Coherent Optical Communications”, Proc. (ECOC 2013).
【発明の概要】
【発明が解決しようとする課題】
【０００７】
しかしながら、軟判定誤り訂正符号に対応するためには、多次元シンボルに対する対数尤度比（以下、ＬＬＲ（Log-Likelihood Ratio））を算出する必要がある。一般的に多次元シンボルからＬＬＲは、以下の式（１）によって計算される。【０００８】
【数１】
2017221926.tif 000003
【０００９】
式（１）において、“ＬＮ−Ｄ（ｂｊ）”はＮ次元シンボルのｊ番目のビットのＬＬＲを表す。“Ｓ（ｂｊ＝０ ｏｒ １）”はｊ番目のビットが“０”又は“１”となるＮ次元シンボル集合を表す。“Ｅｋ”はＮ次元シンボルを表す。“Ｅｋ”は受信された８Ｄ(次元)ベクトルを表す。“σ２”はガウス雑音の分散を表す。“ＬＮ−Ｄ（ｂｊ）”は、後段の軟判定誤り訂正復号器からの事前情報のフィードバックがある場合には、以下の式（２）のように表すことができる。【００１０】
【数２】
2017221926.tif 000004
【００１１】
式（２）において、“ＬＬＲｓｏｆｔ ｄｅｃ.”は軟判定誤り訂正復号器からの事前情報を表す。また、“ｂｌ＝Ｄｅｍａｐ（Ｅｋ）“はＮ次元シンボルＥｋを対応するビット列への変換を表している。
上記のように、式（１）と式（２）を計算するためには、候補となる全ての多次元シンボルについてユークリッド距離を計算する必要があり、演算量が増大してしまうという問題があった。【００１２】
上記事情に鑑み、本発明の目的は、演算量を低減させる技術の提供することである。
【課題を解決するための手段】
【００１３】
本発明の一態様に係る光受信機は、受信信号に基づいて、Ｍ（Ｍは自然数）次元毎に対数尤度比を得る第１演算部と、前記Ｍ次元毎の対数尤度比に基づいて、Ｎ（Ｎは自然数）次元シンボルの対数尤度比を得る第２演算部と、を備える。【００１４】
上記の光受信機は、前記Ｎ次元シンボルの対数尤度比に基づいて、軟判定誤り訂正を行う軟判定誤り訂正符号デコード回路と、前記軟判定誤り訂正符号デコード回路からの出力を前記第２演算部にフィードバックするフィードバック部と、をさらに備えていていもよい。前記第２演算部は、フィードバックされた出力結果に基づいて更新された前記Ｍ次元毎の対数尤度比に基づいて、Ｎ次元シンボルの対数尤度比を得てもよい。【００１５】
本発明の一態様に係る光伝送装置は、上記の光送信機と、光受信機とを備える。光受信機は、入力ビット列に対して、軟判定誤り訂正に使用する冗長ビットを付加する軟判定誤り訂正符号エンコード回路と、冗長ビットが付加された入力ビット列をＮ（Ｎは自然数）次元空間の信号点配置に対応付けを行うＮ次元エンコーダ回路と、前記Ｎ次元エンコーダ回路からの出力をもとにＮ次元シンボルに対応した変調信号を生成するＮ次元シンボルマッピング回路と、前記変調信号を用いて光を変調して出力する光変調回路と、を備える。【００１６】
本発明の一態様に係る光受信機のための方法は、受信信号に基づいて、Ｍ（Ｍは自然数）次元毎に対数尤度比を得て、前記Ｍ次元毎の対数尤度比に基づいて、Ｎ（Ｎは自然数）次元シンボルの対数尤度比を得る、ことを含む。
【発明の効果】
【００１７】
本発明により、演算量を低減させることが可能となる。
【図面の簡単な説明】
【００１８】
【図１】本実施形態における光伝送装置の構成を示すブロック図である。
【図２】本実施形態における送信シンボル生成部１１の構成例を示す図である。
【図３】本実施形態における受信信号復調部２３の構成例を示す図である。
【図４】本実施形態における送信シンボル生成部１１ａの構成例を示す図である。
【図５】図４に示す送信シンボル生成部１１ａの構成で出力される８次元シンボルの構成規則を表す図である。
【図６】本実施形態における受信信号復調部２３ａの構成例を示す図である。
【図７】本実施形態における１６ＱＡＭの場合のコンスタレーション形状を示す図である。
【図８】本実施形態における比較結果を表す図である。
【図９】本実施形態における８ＱＡＭの場合のコンスタレーション形状を示す。
【図１０】本実施形態における１６ＱＡＭの場合のルックアップテーブルの例を示す。
【図１１】本実施形態における各演算式における軟判定誤り訂正（ＦＥＣ）後のｂｉｔ誤り率特性を表す図である。
【図１２】本実施形態における受信信号復調部２３の別の構成を示す図である。
【図１３】本実施形態におけるＥｘｉｔ Ｃｈａｒｔ解析を行った結果を示す図である。
【図１４】本実施形態におけるＬＤＰＣ内反復回数に対するフィードバックされる事前情報量を表す図である。
【発明を実施するための形態】
【００１９】
以下、本発明の一実施形態を、図面を参照しながら説明する。
図１は、本実施形態における光伝送装置１００の構成を示すブロック図である。光伝送装置１００は、光送信機１０と、光受信機２０とを備える。図１に示す例では、光送信機１０と、光受信機２０とが光伝送装置１００に備えられる構成を示している。しかしながら、光送信機１０と、光受信機２０とはそれぞれ単体の装置であってもよい。この場合、光送信機１０と、光受信機２０とは伝送路を介して接続される。伝送路は、例えば光ファイバ及び光増幅器を用いて構成される。光送信機１０から出力された光信号は、光ファイバ中を伝送し、光増幅器により増幅されて光受信機２０に入力される。また、伝送路中に経路切り替え機を設置してもよい。
【００２０】
光送信機１０は、送信シンボル生成部１１と、光変調回路１２とを備える。送信シンボル生成部１１は、バイナリ情報である送信データ系列（ビット列）の入力を受け付ける。送信シンボル生成部１１は、入力した送信データ系列に対し軟判定誤り訂正に使用する冗長データを付加した後、送信データ系列を用いて多次元シンボルに対応した変調信号を生成する。送信シンボル生成部１１は、生成した変調信号を光変調回路１２に出力する。
【００２１】
光変調回路１２は、偏波多重のマッハチェンダ型ベクトル変調機、ドライバアンプ及びレーザモジュールで構成される。光変調回路１２は、送信シンボル生成部１１から出力された変調信号の入力を受け付ける。光変調回路１２は、入力された変調信号を、それぞれのレーンに設置されたドライバアンプにより増幅し、偏波多重型マッハチェンダ型のベクトル変調機を用いてレーザモジュールからの光信号を変調する。光変調回路１２は、変調した光信号を多重化して出力する。
【００２２】
光変調回路１２は、多次元シンボルを波長間に割り振る場合、マルチコアファイバーのコア間、マルチモードファイバのモード間、もしくはそれぞれの組み合わせの場合は、送信シンボル生成部１１からそれぞれの次元に対応する変調器により変調を行う。すなわち、光変調回路１２は、同相搬送波、直交位相搬送波、時間、偏波、波長、空間（マルチモード、マルチコア）に対して光の変調を行う。
【００２３】
光受信機２０は、光コヒーレント受信器２１と、デジタル信号処理部２２と、受信信号復調部２３とを備える。光コヒーレント受信器２１は、光信号の入力を受け付ける。光コヒーレント受信器２１は、入力した光信号を、レーザモジュールからの局発光によりベースバンド信号（電気信号）に変換する。光コヒーレント受信器２１は、電気信号をデジタル信号処理部２２に出力する。光コヒーレント受信器２１から出力された電気信号は、光コヒーレント受信器２１とデジタル信号処理部２２の間に設置されているアナログ／デジタル変換器（不図示）によりデジタル信号に変換された後、デジタル信号処理部２２に入力される。
【００２４】
デジタル信号処理部２２は、デジタル信号の入力を受け付ける。デジタル信号処理部２２は、伝送路中で発生した、波長分散や偏波変動、非線形光学効果による波形劣化を補償する。また、デジタル信号処理部２２は、送信側のレーザと受信側のレーザの周波数誤差とそれぞれのレーザの持つ線幅による位相雑音の補償を行う。受信信号復調部２３は、光受信機２０において物理次元に割り当てを行った変調次元から多次元ベクトルの再構成を行い、多次元シンボルのＬＬＲを算出し、軟判定誤り訂正を行った後にビット列データを出力する。
【００２５】
図２は、送信シンボル生成部１１の構成例を示す図である。図２に示すように、送信シンボル生成部１１は、軟判定誤り訂正符号エンコード回路（以下、訂正符号エンコード回路と称する場合がある）１１１と、Ｎ次元エンコード回路１１２と、Ｎ次元シンボルマッピング回路１１３とを備える。軟判定誤り訂正符号エンコード回路１１１は、ＬＤＰＣ（Low Density Parity Check）符号やターボ符号化器などにより構成される。軟判定誤り訂正符号エンコード回路１１１は、入力された送信データ系列に対して軟判定誤り訂正を行うために必要な冗長ビットを付加する。
【００２６】
Ｎ次元エンコード回路１１２は、軟判定誤り訂正符号エンコード回路１１１から出力された送信データ系列に対し、Ｎ次元空間における信号点との対応付けを行い、冗長ビットを付加する。なお、Ｎは２以上の整数である。Ｎ次元エンコード回路１１２は、冗長ビットを付加することで、Ｎ次元シンボルマッピング回路１１３でマッピング後に、一定以上の最小ユークリッド距離を担保するための回路である。Ｎ次元エンコード回路１１２は、ハミング距離の小さな異なる系列の入力ビットを入力した際に、マッピング後のＮ次元シンボル間のユークリッド距離が小さくなるように冗長ビットを付加する。これにより、シンボル誤りが発生した場合のビット誤りを低減することが可能となる。
【００２７】
Ｎ次元シンボルマッピング回路１１３は、Ｍ次元（ＭはＮ未満の自然数）のＬ個（Ｌ＝Ｎ／Ｍ）のマッピング回路から構成される。Ｎ次元シンボルマッピング回路１１３は、入力された送信データ系列からＬ個のＭ次元シンボルを生成する。この際、Ｎ次元シンボルマッピング回路１１３は、Ｎ次元エンコード回路１１２によって付加された冗長ビットからＬ個のＭ次元シンボルがお互いに関連をもったシンボルとなるようにＬ個のＭ次元シンボルを生成する。
【００２８】
図３は、受信信号復調部２３の構成例を示す図である。図３に示すように、受信信号復調部２３は、Ｍ次元ＬＬＲ演算部（第１演算部）２３１と、Ｎ次元ＬＬＲ演算部（第２演算部）２３２と、軟判定誤り訂正符号デコード回路２３３とを備える。Ｍ次元ＬＬＲ演算部２３１は、Ｌ個のＭ次元シンボルからそれぞれＬＬＲを算出する。Ｎ次元ＬＬＲ演算部２３２は、Ｍ次元ＬＬＲ演算部２３１によって算出されたＬＬＲからＮ次元ＬＬＲを算出する。軟判定誤り訂正符号デコード回路２３３は、Ｎ次元ＬＬＲ演算部２３２から出力されたＬＬＲに基づいて軟判定誤り訂正を行う。
【００２９】
以下、具体例として「Ｎ＝８」、「Ｍ＝２」、「Ｌ＝４」として、本実施形態における光送信機１０及び光受信機２０の処理について説明する。
図４は、送信シンボル生成部１１ａの構成例を示す図である。図５は、図４に示す送信シンボル生成部１１ａの構成で出力される８次元シンボルの構成規則を表す図である。
図４に示すように、送信シンボル生成部１１ａは、軟判定誤り訂正符号エンコード回路１１１ａと、８次元エンコード回路１１２ａと、８次元シンボルマッピング回路１１３ａとを備える。軟判定誤り訂正符号エンコード回路１１１ａは、軟判定誤り訂正符号エンコード回路１１１と同様の処理を行う。すなわち、軟判定誤り訂正符号エンコード回路１１１ａは、一般的な軟判定誤り訂正符号のエンコード回路を用いて構成される。８次元エンコード回路１１２ａは、図５の構成規則に基づいて以下の式（３）〜式（６）のように表すことができる。
【００３０】
【数３】
2017221926.tif 000005
【数４】
2017221926.tif 000006
【数５】
2017221926.tif 000007
【数６】
2017221926.tif 000008
【００３１】
式（３）〜式（６）において、ｂ１〜ｂ１６は８次元エンコード回路１１２ａの出力ビット列に対応している。ｂ８、ｂ１２、ｂ１５及びｂ１６は付加される冗長ビットである。他のビットは入力ビットがそのまま出力される。８次元シンボルマッピング回路１１３ａは、図５の部分（ｂ）の２次元シンボルマッピングルールにより、ｂ１〜ｂ４のように４ビットごとに１つの１６ＱＡＭを出力する。本例では「Ｌ＝４」であり、合計で４つの１６ＱＡＭシンボルが出力される。図５の部分（ａ）は変調次元の割当先として時間方向（タイムスロット）に拡張した例を示している。４つのタイムスロットにおいて直交位相、同相の２次元を物理次元として使用するため、合計で８次元となる。このセットが８次元シンボルとして、８次元シンボルマッピング回路１１３ａから出力される。図５の部分（ｃ）、部分（ｄ）は、この８次元エンコード回路１１２ａと、８次元シンボルマッピング回路１１３ａから出力される８次元シンボルの規則性を表している。
【００３２】
図６は、受信信号復調部２３ａの構成例を示す図である。図６に示すように、受信信号復調部２３ａは、２次元ＬＬＲ演算部（第１演算部）２３１ａと、８次元ＬＬＲ演算部（第２演算部）２３２ａと、軟判定誤り訂正符号デコード回路２３３ａとを備える。２次元ＬＬＲ演算部２３１ａは、１６ＱＡＭ−ＬＬＲ算出回路を用いて構成される。１６ＱＡＭ−ＬＬＲ算出回路は、以下の参考文献１に基づいて、以下の式（７）〜（８）のように簡易に表すことができる。（参考文献１：Ramesh PYNDIA, Annie PICART and Alain GLAVIEUX, “Performance of  BlockTurbo Coded 16-QAM and 64-QAM Modulation”. Global Telecommunications Conference, 1995. GLOBECOM '95., IEEE  (Volume:2 )）
【００３３】
【数７】
2017221926.tif 000009
【数８】
2017221926.tif 000010
【００３４】
式（７）〜式（８）において、“Ｉ”は同相を表している。“Ｑ”は直交位相を表している。“ＭＳＢ”は最上位ビットを表している。“ＬＳＢ”は最下位ビットを表している。例えば、上記の式（３）〜式（６）におけるｂ１〜ｂ４では、１６ＱＡＭ Ｉ−ＭＳＢがｂ１に対応する。１６ＱＡＭ Ｑ−ＭＳＢがｂ２に対応する。１６ＱＡＭ Ｉ−ＬＳＢがｂ３及び１６ＱＡＭ Ｑ−ＬＳＢがｂ４に対応する。２次元ＬＬＲ演算部２３１ａは、上記式（７）及び（８）を用いて、４つの２次元シンボル毎に１６ＱＡＭ−ＬＬＲを算出する。この例においては、より具体的には、２次元ＬＬＲ演算部２３１ａは、式（７）及び（８）を用いて、４つの２次元シンボルの同相成分毎および直交位相成分毎に１６ＱＡＭ−ＬＬＲを算出する。よって、この例においては、「Ｍ＝１」として、１６ＱＡＭ−ＬＬＲが１次元ごとに算出できる。なお、「Ｍ＝１」として1次元ごとにＬＬＲを算出することができる場合の具体例は、１６ＱＡＭや６４ＱＡＭのようなコンスタレーション形状が正方格子となる場合、すなわち、ＩＱ平面に着目した場合にＩ成分とＱ成分とが直交する場合である。図７は、１６ＱＡＭの場合のコンスタレーション形状を示す。図７に示す例の場合、「Ｍ＝１」として、１６ＱＡＭ−ＬＬＲが１次元ごとに算出できる。
【００３５】
８次元ＬＬＲ演算部２３２ａは、２次元ＬＬＲ演算部２３１ａによって算出された４つの２次元シンボル毎の１６ＱＡＭ−ＬＬＲの入力を受け付ける。８次元ＬＬＲ演算部２３２ａは、入力した２次元シンボル毎の１６ＱＡＭ−ＬＬＲに基づいて、８Ｄ−１６ＱＡＭ−ＬＬＲを算出する。８Ｄ−１６ＱＡＭ−ＬＬＲは、８次元シンボルの１６ＱＡＭ−ＬＬＲを表す。以下、８Ｄ−１６ＱＡＭ−ＬＬＲの算出方法を説明する。
【００３６】
１６ＱＡＭ−ＬＬＲを用いることで、ある受信信号を得た際の２次元における１６ＱＡＭシンボル点への事後確率ＰＳ １６ＱＡＭは以下の式（９）のように表される。
【００３７】
【数９】
2017221926.tif 000011
【００３８】
式（９）において、“ＬＬＲ１６ＱＡＭ（ｂｍ）”はｍ番目のビットに対する１６ＱＡＭのＬＬＲに対応する。同様にある受信信号を得た際の８次元シンボル点への事後確率ＰＳ８Ｄは以下の式（１０）のように表される。
【００３９】
【数１０】
2017221926.tif 000012
【００４０】
式（１０）において、“ＰＳ１６ＱＡＭ（１６ＱＡＭはＳの下付き）（ｌ）”は、ｌ番目の１６ＱＡＭの事後確率を表す。８次元シンボルに対するＬＬＲ８Ｄは式（１）に対して式（１０）を用いることで、以下の式（１１）のように表すことができる。
【００４１】
【数１１】
2017221926.tif 000013
【００４２】
式（１１）において、“ｂｍ（ｋ＝ｍ：０ ｏｒ １）”はｍ番目のビットを表し、「ｍ＝ｋ」の場合において０または１である。本実施形態における８次元シンボル数は４０９６個存在している。ここで、「ｘ→−∞、ｅｘｐ（ｘ）」の関係を利用することで、式（１１）で計算が必要となる８次元シンボル候補を絞り込むことが可能となる。具体的には、図５の部分（ｂ）〜部分（ｄ）のシンボル構成規則を用いる。図５の部分（ｂ）から１６ＱＡＭの点は、Ａ０、Ａ１、Ｂ０、Ｂ１の４グループに分類される。図５の部分（ｃ）は他の次元との関連により取り得るグループの関係を示している。Ａ０、Ａ１、Ｂ０、Ｂ１は最終的に１６個のサブセットに分割される。そこで、各２次元の１６ＱＡＭについて各グループ（Ａ０,Ａ１,Ｂ０,Ｂ１）の候補となる点を４つから１つに絞る（以上の式（１１）に関する操作を、第１の操作と称する）。
【００４３】
例えば、「ｘ→−∞、ｅｘｐ（ｘ）」と、式（９）から、ＰＳ１６ＱＡＭ（１６ＱＡＭはＳの下付き）が最大のシンボル点を候補とすればよいことがわかる。また、シンボルに割り当てられるビットと各グループの関係は図５の部分（ｄ）のように設計されている。そのため、受信信号を硬判定した後に、１６ＱＡＭ−ＬＬＲの絶対値が小さいビットを反転することで、それぞれのグループにおけるＰＳ１６ＱＡＭ（１６ＱＡＭはＳの下付き）が最大となる候補点を見つけることができる。また、図５の部分（ｃ）から候補点の組み合わせは１６個のサブセットに限定されるため、式（１１）は以下の式（１２）ように簡略化することができる（以上の操作を、第２の操作と称する）。
【００４４】
【数１２】
2017221926.tif 000014
【００４５】
８次元ＬＬＲ演算部２３２ａは、上記式（１１）又は（１２）を用いて８Ｄ−１６ＱＡＭ−ＬＬＲを算出する。軟判定誤り訂正符号デコード回路２３３ａは、８次元ＬＬＲ演算部２３２ａによって算出された８Ｄ−１６ＱＡＭ−ＬＬＲに基づいて軟判定誤り訂正を行う。
【００４６】
式（１）と式（１２）の演算量の比較結果を図８に示す。図８は、比較結果を表す図である。図８に示すように、提案方式は、従来方式に比べて演算量が格段に低減されていることが分かる。
【００４７】
以上のように構成された光伝送装置１００によれば、演算量を低減させることが可能となる。具体的には、光送信機１０は、入力ビット列に対して、軟判定誤り訂正に使用する冗長ビットを付加し、入力ビット列をＮ次元空間の信号点に対応付けを行い、Ｎ次元シンボルに対応した変調信号を出力する。光受信機２０は、受信信号においてＭ次元ごとに対数尤度比を得て、Ｍ次元ごとの対数尤度比からＮ次元シンボルの対数尤度比を得る。このような構成により、候補となる全ての多次元シンボルについてユークリッド距離を計算する必要が無くなる。そのため、軟判定誤り訂正符号を適用する際に、演算量を低減することが可能になる。
【００４８】
ここで、Ｍ（自然数）の決め方について説明する。Ｍを可能な限り小さい値にすること、すなわち、Ｍ次元を可能な限り低次元にすることが望ましい。Ｍを小さい値にすることで、より簡易に低次元ＬＬＲを算出できる。具体例として、「Ｍ＝１」の場合と「Ｍ≧２」の場合とで比較する。「Ｍ＝１」の場合、式（７）および（８）のように簡単な演算のみでＬＬＲを算出することが可能である。一方で、「Ｍ≧２」の場合、式（１）を直接計算することは困難である。このため、式（１）におけるＥｒの値に応じた計算結果を、ルックアップテーブルとして、あらかじめ用意しておく必要がある。ルックアップテーブルを用いる際についても、Ｍが小さい値であることが望ましい。これにより、Ｍが大きくなることに伴って、ルックアップテーブルのサイズが指数的に増加してしまうことを防ぐことができる。
【００４９】
ルックアップテーブルを用意する必要がある場合の具体例について説明する。図９は、８ＱＡＭの場合のコンスタレーション形状を示す。図９に示す例の場合、「Ｍ＝２」としてＭ次元ＬＬＲを求める必要がある。ゆえに、図９に示す例の場合、２次元ＬＬＲを得るために、２次元のルックアップテーブルが必要となる。
【００５０】
低次元のＬＬＲを求める方法として、１次元の場合（すなわち「Ｍ＝１」の場合）について、１６ＱＡＭの場合を例に挙げて、式（７）および（８）を用いる方法について上述した。低次元のＬＬＲを求める方法として、式（７）および（８）を用いる方法とは別の実現方法について説明する。より具体的には、２次元以上（すなわち「Ｍ≧２」）かつ低次元の場合にＬＬＲを求める方法として、ルックアップテーブルを用いる方式を用いることができる。式（１）のＥｒ及びＥｋがＭ次元である場合、Ｅｒの値に応じて式（１）の値をあらかじめ計算して、計算結果を保持しておく。ＬＬＲを算出する際は、Ｅｒの値に応じて、ルックアップテーブルから値を読みだす。ルックアップテーブルを用いることで、式（１）の「ｌｏｇ()」および「ｅｘｐ()」の部分の演算が不要となる。ゆえに、回路への実装が容易となる。図１０は、１６ＱＡＭの場合のルックアップテーブルの例を示す。図１０において、黒い点は、Ｅｋを示す。領域ｆ（１，１）〜ｆ（８，８）ごとに、式（１）の値をあらかじめ計算して保持しておく。Ｅｋの位置を変更することで任意のコンスタレーション形状に対応することができる。
【００５１】
＜変形例＞
なお、上記においてＮ次元シンボルマッピング回路１１３が、Ｍ次元のＬ個のマッピング回路から構成される構成を示しているが、値によってはＬが整数とならない場合、つまり余りが生じる場合がある。例えば、「Ｎ／Ｍ＝Ｌ余りＲ（Ｒは１以上の整数）」となった場合、８次元ＬＬＲ演算部２３２は、Ｌ個のＭ次元ＬＬＲと、１個のＲ次元ＬＬＲとに基づいて、Ｎ次元ＬＬＲを算出する。また、バリエーションとして、８次元ＬＬＲ演算部２３２は、Ｒ次元をさらにＫ（Ｋ＜Ｒ）次元ＬＬＲで分割してＮ次元ＬＬＲを算出してもよい。
【００５２】
式（１２）は、以下の式（１３）のような関係式を用いることで回路への実装性を高めることが可能となる。
【００５３】
【数１３】
2017221926.tif 000015
【００５４】
式（１３）の右辺第２項をルックアップテーブルとして保持しておくことで、ｌｏｇとｅｘｐの部分の演算が不要になり、さらなる演算量の低減が可能となる。なお、式(１２)に対して式（１３）を適用する場合は再帰的に式（１３）を適用する。
【００５５】
式（１３）は、以下の式（１４）に示すように近似することができる。
【００５６】
【数１４】
2017221926.tif 000016
【００５７】
式（１４）を用いると、式（１２）は、以下の式（１５）に示すように近似することができる。
【００５８】
【数１５】
2017221926.tif 000017
【００５９】
式（１２）を以下の式（１６）のように変形する。
【数１６】
2017221926.tif 000018
【００６０】
式（１６）の第１項目は、「ｋ＝ｍ」の時、「ｂｍ＝０」である。また、第２項目は、「ｋ＝ｍ」の時、「ｂｍ＝１」、である。このため、式（１２）は以下の式（１７）のように変形できる。
【００６１】
【数１７】
2017221926.tif 000019
【００６２】
式（１７）におけるＷ（ｋ）は、以下の式（１８）のとおりである。
【００６３】
【数１８】
2017221926.tif 000020
【００６４】
同様に、式（１５）についても以下の式（１９）のように変形する。
【００６５】
【数１９】
2017221926.tif 000021
【００６６】
式（１９）におけるＷ（ｋ）は、以下の式（２０）のとおりである。
【００６７】
【数２０】
2017221926.tif 000022
【００６８】
ここで、Ｗ（ｋ）とＷ’（ｋ）、つまり式（１８）と式（２０）とを比較する。式（１３）からＡとＢの距離（差分の絶対値）が小さくなるとき、式（１３）の右辺の第２項目が大きくなる。一方で、式（１２）において、Ａ，Ｂに対応する「ｅｘｐ（）」の部分の内部は、対数尤度を表しており、受信信号が着目するシンボル点に近いほど大きくなる。ここでは簡単のため、対数尤度が最も大きくなるシンボル点をＳ（Ａ）,２番目に対数尤度が大きくなるシンボル点をＳ（Ｂ）表記する。またそれぞれのシンボルに対する対数尤度をＡ，Ｂと表記する。よってＡとＢの差分の絶対値が小さいとき、受信信号はＳ（Ａ）とＳ（Ｂ）の間に存在していることに対応し、式（１３）の右辺の第１項目は小さくなる。以上をまとめると本方式において式（１３）は、|Ａ−Ｂ｜が小さいとき、ｍａｘ（Ａ，Ｂ）は小さくなり、log(1+exp(-|A-B|))は大きくなる。また｜Ａ−Ｂ｜が大きいとき、max（Ａ，Ｂ）は大きくなり、log(1+exp(-|A-B|))は小さくなる。この関係を式（１８）と式（２０）に当てはめると、受信信号に最も近いシンボルを含む項の「ｍａｘ（.）」の演算部が大きくなりlog(1+exp(-|.|)の項が小さくなる。すなわち以下の式（２１）の関係が成り立つ。
【００６９】
【数２１】
2017221926.tif 000023
【００７０】
つまり式（１９）について式（２１）分だけ近似により統計的に誤差が生じてしまう。よってこの統計的な誤差を低減することで、近似による特性劣化を軽減することが可能となる。
【００７１】
具体的には式（２２）のように、「０≦α≦１」となる係数を設けるか、式（２３）のように「β≧０」のオフセット係数を用いればよい。また、式（２１）の関係を満たせば他の方法を用いても良い。
【００７２】
【数２２】
2017221926.tif 000024
【数２３】
2017221926.tif 000025
【００７３】
なお、式（２２）については、小数点の乗算が発生する。式（２３）については、和算と比較演算のみで実現できるため、回路実装上が簡易となる。また係数α、βの最適値は入力信号のＳＮＲに依存して変化するため、入力信号のＳＮＲに応じて最適化を行うことで性能を向上することができる。
【００７４】
図１１は、各演算式における軟判定誤り訂正（ＦＥＣ）後のｂｉｔ誤り率特性を表す図である。図１１において、縦軸は軟判定誤り訂正符号デコード回路２３２ａからの出力のｂｉｔ誤り率を表している。横軸は８次元受信信号のＳＮＲを表している。図１１におけるひし形（図１１では“◇”）のプロットが式（１２）の計算式で得られた８次元ＬＬＲを用いた結果を表している。同様に、図１１における四角（図１１では“□”）のプロットが式（１５）の計算式で得られた８次元ＬＬＲを用いた結果を表している。図１１における三角（図１１では“△”）のプロットが式（２２）の計算式で得られた８次元ＬＬＲを用いた結果を表している。図１１におけるバツ（図１１では“×”）のプロットが式（２３）の計算式で得られた８次元ＬＬＲを用いた結果を表している。図１１において式（２２）もしくは式（２３）を用いることで近似前の性能に近づいていることがわかる。
【００７５】
受信信号復調部２３は、図１２のように構成されてもよい。図１２は、受信信号復調部２３の別の構成を示す図である。図１２に示すように、受信信号復調部２３ｂは、２次元ＬＬＲ演算部２３１ｂと、８次元ＬＬＲ演算部２３２ｂと、軟判定誤り訂正符号デコード回路２３３ｂと、フィードバック部２３４とを備える。２次元ＬＬＲ演算部２３１ｂ、８次元ＬＬＲ演算部２３２ｂ及び軟判定誤り訂正符号デコード回路２３３ｂは、図６に示す同名の機能部と同様の処理を行う。フィードバック部２３４は、軟判定誤り訂正符号デコード回路２３３ｂからの出力である事前情報の入力を受け付ける。事前情報は、以下の式（２４）のように表される。
【００７６】
【数２４】
2017221926.tif 000026
【００７７】
ここで、“ＬＬＲｓｏｆｔ ｄｅｃ.（ｂｌ）”は軟判定誤り訂正符号デコード回路２３３ｂから出力された事前情報を表す。“ＬＬＲｓｏｆｔ ｄｅｃ. ｏｕｔｐｕｔ（ｂｌ）”は軟判定誤り訂正符号デコード回路２３３ｂからの出力を表す。“ＬＬＲ８Ｄ（ｂｌ）”は軟判定誤り訂正符号デコード回路２３３ｂへの入力を表す。フィードバック部２３４は、この事前情報を図１２に示すように、２次元ＬＬＲ演算部２３１から出力される１６ＱＡＭのＬＬＲ（２次元シンボル毎の１６ＱＡＭ−ＬＬＲ）に足すことで、１６ＱＡＭ−ＬＬＲを以下の式（２５）のように更新する。
【００７８】
【数２５】
2017221926.tif 000027
【００７９】
ここで、軟判定誤り訂正符号は式（３）〜（６）のビットには適用されていないため「ｌ∈（１，２，３，４，５，６，７，９，１０，１１，１３，１４）」、「ｍ∈（１，２，３，４，５，６，７，８，９，１０，１１，１２,１３,１４,１５,１６）」となる。８次元ＬＬＲ演算部２３２ｂは、更新された１６ＱＡＭ−ＬＬＲを式（１２）に適用することで、更新後の８次元ＬＬＲを求めることができる。このように、フィードバック部２３４を追加した際にも演算量を低減することができる。
【００８０】
図１３は、従来方式である式（２）を用いた方式と、提案方式の式（１２）と式（２５）を用いた方式の復号特性を評価するため、Ｅｘｉｔ Ｃｈａｒｔ解析を行った結果を示す図である。Ｅｘｉｔ Ｃｈａｒｔ解析としては、参考文献２に記載の技術が用いられてもよい。（参考文献２：Stephan ten Brink. “Convergence Behavior of Iteratively Decoded Parallel Concatenated Codes”. IEEE TRANSACTIONS ON COMMUNICATIONS, VOL. 49, NO. 10, pp. 1727 OCTOBER 2001.）
【００８１】
図１３において、縦軸は８Ｄ１６ＱＡＭＬＬＲ演算部２３２ｂからの出力の相互情報量を表している。横軸は事前確率の相互情報量を表している。図１３における四角（図１３では、“□”）のプロットが従来方式の結果を表している。三角（図１３では、“▲”）のプロットが提案方式の結果を表している。図１３から分かるように、提案方式による性能の劣化は見られなかった。図１３において、ひし形（図１３では、“◇”）のプロットが軟判定誤り訂正符号の一種であるＬＤＰＣ符号における復号器の結果を示している。従来方式のラインと◇のラインがクロスしない場合、事前情報をフィードバックした際に正しく誤り訂正が実行できることを解析的に示している。
【００８２】
フォードバック部２３４を追加する際に、事前情報を用いて８次元ＬＬＲ演算部２３２ｂにおいて算出された更新後の８次元ＬＬＲからフィードバック部２３４の事前情報を引いてもよい。この操作を行うことで、前ステップにおいて軟判定誤り訂正符号デコーダ回路において誤訂正を起こしたビットについて誤り情報を伝搬させることなく、次ステップにおいて誤り訂正を行うことが可能となる。具体的には、式（１２），式（１５），式（２２）または式（２３）を用い８次元ＬＬＲを更新し、式（２４）の事前情報の値を対応するビットごとに減算する。
【００８３】
一般的にＬＤＰＣ符号やターボ符号等の軟判定誤り符号デコード回路２３２ｂにおいて反復演算（イタレーション）を行っている。本方式においてフィードバック構成をとる場合では、８次元ＬＬＲの更新、軟判定誤り訂正を繰り返し行い、図１３で示したように段階的に情報量の更新を行う。このため、軟判定誤り符号デコード回路２３２ｂ内でのイタレーション回数を少なくすることが可能となる。ここでは軟判定誤り符号デコード回路２３２ｂ内での反復演算を内反復、フィードバック部２３４を用いた反復演算を外反復と定義する。この場合、内反復と外反復の回数を最適化することで、より少ない演算回数で同じ性能を得ることや復号における遅延を低減することができる。
【００８４】
図１４は、ＬＤＰＣ内反復回数に対するフィードバックされる事前情報量を表す図である。図１４は軟判定誤り符号デコード回路２３２ｂとしてＬＤＰＣを用い、ＬＤＰＣ復号回路内での反復回数（内反復回数）をそれぞれ２０回（図１４中“◇”のプロット）、５回（図１４中“○”のプロット）、２回（図１４中“×”のプロット）に変更した際のＥxit Chart解析結果である（ＬＤＰＣ反復回数以外は図１１と変更無し）。内反復回数を減らした場合のどのＬＤＰＣのラインと、８次元変調である８Ｄ１６ＱＡＭのラインのクロスが発生していないので、図１３を参照して上述した通り、事前情報をフィードバックした場合に正しく復号できることを示している。ただし内反復が２回の場合、８Ｄ１６ＱＡＭのラインに接近しているため、正しく復号を行うためには外反復の回数を増加させる必要がある。
【００８５】
次に、本実施形態における４次元変調の例（４Ｄ７ｂｉｔ‐１６ＱＡＭ）について説明する。
【００８６】
【数２６】
2017221926.tif 000028
【００８７】
式（２６）において、丸に囲まれたプラスの記号は排他的論理和を示す。“Σ”は、排他的論理和での加算を表す。ｂ１〜ｂ８は２つの１６ＱＡＭシンボルにマッピングされ出力される。上記の冗長ビットを付加した場合、式（９）、式（１０）と同様に４次元シンボルの事後確率を求め、式（１１）から４次元ＬＬＲを求めることができる。また本例の場合、上記第１の操作をする候補となる１６ＱＡＭシンボルを求める際、図５のＡ，Ｂのサブセットに分離して考えることができる。この際に、上記第２の操作と同様の操作を適用すると式（９）から、１６ＱＡＭ‐ＬＬＲの絶対値の小さいビットを反転することでそれぞれのグループ（Ａ，Ｂ）においてＰｓ１６ＱＡＭが最大となるビット列の候補を見つけることができる。図５の部分（ｂ）の例では、１６ＱＡＭに対応する４ｂｉｔのデータの排他的論理和が“１”の場合、１６ＱＡＭの点はＡのグループに属する。一方で、排他的論理和が“０”の際、１６ＱＡＭの点はＢのグループに属する。図５の部分（ｂ）の例では、式（２６）から候補点の組み合わせは、（Ａ，Ａ）もしくは（Ｂ，Ｂ）の２通りに限定される。上記より、式（１０）の４次元版であるＰｓ ４Ｄ−１６ＱＡＭが最大となるようにビット列の候補を求める際に、絶対値の小さい１６ＱＡＭ‐ＬＬＲに対応したビットｂｍのみを反転（“０→１” or “１→０”）しており、また１６ＱＡＭ‐ＬＬＲの正負がビットの“０”および“１”に対応している。このため、式（１５）は更に変形することができ、式（２７）のように表せられる。
【００８８】
【数２７】
2017221926.tif 000029
【００８９】
式（２７）において、“ｓｉｇｎ（）”の部分は“ＬＬＲ１６ＱＡＭ（ｍ）”の正負を表している。
【００９０】
式（２７）についても式（２２）、式（２３）と同様の操作を式（２７）右辺の第２項について行うことで、すなわち、式（２２）、式（２３）と同様に右辺に係数を乗算またはオフセット係数を設定することで、近似による性能劣化を緩和することが可能となる。
【００９１】
次に、本実施形態における８次元変調の例（８Ｄ１５ｂｉｔ‐１６ＱＡＭ）について説明する。
【００９２】
【数２８】
2017221926.tif 000030
【００９３】
式（２８）において、丸に囲まれたプラスの記号は排他的論理和を示す。“Σ”は、排他的論理和での加算を表す。ｂ１〜ｂ１６は４つの１６ＱＡＭシンボルにマッピングされ出力される。上記の冗長ビットを付加した場合、式（９）、式（１０）と同様に８次元シンボルの事後確率を求め、式（１１）から８次元ＬＬＲを求めることができる。また本例の場合、上記第１の操作をする候補となる１６ＱＡＭシンボルを求める際、図５のＡ，Ｂのサブセットに分離して考えることができる。この際に、上記第２の操作と同様の操作を適用すると式（９）から、１６ＱＡＭ‐ＬＬＲの絶対値の小さいビットを反転することでそれぞれのグループ（Ａ，Ｂ）においてＰｓ１６ＱＡＭが最大となるビット列の候補を見つけることができる。図５の部分（ｂ）の例では、１６ＱＡＭに対応する４ｂｉｔのデータの排他的論理和が“１”場合、１６ＱＡＭの点はＡのグループに属する。一方で、排他的論理和が“０”の場合、１６ＱＡＭの点はＢのグループに属する。図５の部分（ｂ）の例では、式（２８）から候補点の組み合わせは８通りに限定される。上記より、式（１０）のＰｓ ８Ｄ−１６ＱＡＭが最大となるようにビット列の候補を求める際に、絶対値の小さい１６ＱＡＭ‐ＬＬＲに対応したビットｂｍのみを反転（“０→１” or “１→０”）しており、また１６ＱＡＭ‐ＬＬＲの正負がビットの“０”および“１”に対応している。このため、式（１５）は更に変形することができ、式（２９）のように表せられる。
【００９４】
【数２９】
2017221926.tif 000031
【００９５】
式（２９）において、“ｓｉｇｎ（）”の部分は“ＬＬＲ１６ＱＡＭ（ｍ）”の正負を表している。
【００９６】
式（２９）についても式（２２）、式（２３）と同様の操作を式（２７）右辺の第２項について行うことで、すなわち、式（２２）、式（２３）と同様に右辺に係数を乗算またはオフセット係数を設定することで、近似による性能劣化を緩和することが可能となる。
【００９７】
次に、本実施形態における一般系のＮ次元変調の例（Ｎは２の倍数）について説明する。
【００９８】
【数３０】
2017221926.tif 000032
【００９９】
式（２８）において、丸に囲まれたプラスの記号は排他的論理和を示す。“Σ”は、排他的論理和での加算を表す。ｂ１〜ｂ２＊Ｎ−１はＮ／２個の１６ＱＡＭシンボルにマッピングされ出力される。上記の冗長ビットを付加した場合、式（９）、式（１０）と同様にＮ次元シンボルの事後確率を求め、式（１１）からＮ次元ＬＬＲを求めることができる。また本例の場合、上記第１の操作をする候補となる１６ＱＡＭシンボルを求める際、図５のＡ，Ｂのサブセットに分離して考えることができる。この際に、上記第２の操作と同様の操作を適用すると式（９）から、１６ＱＡＭ‐ＬＬＲの絶対値の小さいビットを反転することでそれぞれのグループ（Ａ，Ｂ）においてＰｓ１６ＱＡＭが最大となるビット列の候補を見つけることができる。図５の部分（ｂ）の例では、１６ＱＡＭに対応する４ｂｉｔのデータの排他的論理和が“１”の場合、１６ＱＡＭの点はＡのグループに属する。一方で、排他的論理和が“０”の場合、１６ＱＡＭの点はＢのグループに属する。図５の部分（ｂ）の例では、式（３０）から候補点の組み合わせは２（Ｎ/２−１）通りに限定される。上記より、式（１０）のＮ次元版であるＰｓ ＮＤ−１６ＱＡＭが最大となるようにビット列の候補を求める際に、絶対値の小さい１６ＱＡＭ‐ＬＬＲに対応したビットｂｍのみを反転（“０→１” or “１→０”）しており、また１６ＱＡＭ‐ＬＬＲの正負がビットの“０”および“１”に対応している。このため、式（１５）は更に変形することができ、式（３１）のように表せられる。
【０１００】
【数３１】
2017221926.tif 000033
【０１０１】
式（３１）において、“ｓｉｇｎ（）”の部分は“ＬＬＲ１６ＱＡＭ（ｍ）”の正負を表している。
【０１０２】
式（３１）についても式（２２）、式（２３）と同様の操作を式（２７）右辺の第２項について行うことで、すなわち、式（２２）、式（２３）と同様に右辺に係数を乗算またはオフセット係数を設定することで、近似による性能劣化を緩和することが可能となる。
【０１０３】
上記においては、Ｍ次元ＬＬＲ演算部２３１が、演算式（例えば、式（７）、（８））を用いてＭ次元のＬＬＲを得る方法と、ルックアップテーブルを用いてＭ次元のＬＬＲを得る方法とを説明したが、これらの方法は組み合わせてもよい。例えば、Ｍ次元ＬＬＲ演算部２３１は、受信するＮ次元受信信号の種類に応じて、ＬＬＲを得る方法として、演算式を用いる方法とルックアップテーブルを用いる方法とのいずれかを選択してもよい。
【０１０４】
光送信機１０及び光受信機２０の全部又は一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含む。また、「コンピュータシステム」は、ＷＷＷシステムを利用している場合であれば、ホームページ提供環境（あるいは表示環境）も含む。
【０１０５】
「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含む。また上記プログラムは、前述した機能の一部を実現するためのものであっても良く、さらに前述した機能をコンピュータシステムにすでに記録されているプログラムとの組み合わせで実現できるものであってもよい。
【０１０６】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０１０７】
本発明は、光受信機、光伝送装置及び光受信機のための方法に適用してもよい。
【符号の説明】
【０１０８】
１０…光送信機
１１、１１ａ…送信シンボル生成部
１２…光変調回路
２０…光受信機
２１…光コヒーレント受信器
２２…デジタル信号処理部
２３、２３ａ、２３ｂ…受信信号復調部
１００…光伝送装置
１１１，１１１ａ…軟判定誤り訂正符号エンコード回路
１１２…Ｎ次元エンコード回路
１１２ａ…８次元エンコード回路
１１３…Ｎ次元シンボルマッピング回路
１１３ａ…８次元シンボルマッピング回路
２３１…Ｍ次元ＬＬＲ演算部
２３１ａ、２３１ｂ…２次元ＬＬＲ演算部
２３２…Ｎ次元ＬＬＲ演算部
２３２ａ、２３２ｂ…８次元ＬＬＲ演算部
２３３、２３３ａ、２３３ｂ…軟判定誤り訂正符号デコード回路
２３４…フィードバック部
【図１】
2017221926.tif 000034
【図２】
2017221926.tif 000035
【図３】
2017221926.tif 000036
【図４】
2017221926.tif 000037
【図５】
2017221926.tif 000038
【図６】
2017221926.tif 000039
【図７】
2017221926.tif 000040
【図８】
2017221926.tif 000041
【図９】
2017221926.tif 000042
【図１０】
2017221926.tif 000043
【図１１】
2017221926.tif 000044
【図１２】
2017221926.tif 000045
【図１３】
2017221926.tif 000046
【図１４】
2017221926.tif 000047
【国際調査報告】
2017221926.tif 000048
2017221926.tif 000049
2017221926.tif 000050
2017221926.tif 000051